(57)【要約】      （修正有）【課題】吸い込み、圧縮、吐き出し、を連続でくり返す油圧回転ポンプを提供する。【解決手段】三っ葉のクローバー型のシリンダー３２内で、四角型の回転ピストン３１を変身クランク２４と結合してある主軸２３が右回りに回転する。【選択図】図１
0003161250.tif 000002
【実用新案登録請求の範囲】
【請求項１】
三つ葉のクローバー型のシリンダー［３２］内で、四角型の回転ピストン［３１］を、変心クランク［２４］と結合してある［２３］主軸の右回りの回転により、吸い込み、圧縮、吐き出し、を連続でくり返す、油圧回転ポンプである。
【請求項２】
［作図３］
三角の頂点［１］から中心点［７］間を５等分する。
［作図４］
［２］［３］角の垂線上に［７］［８］の間隔で［１２］［１３］を印す。
［作図５］
［８］［１０］間を半径にして、左右の辺に沿って弧を画き、［１２］［１３］中心にして同じ弧を画く。
［作図６］
［８］［９］の半分［１７］点を通し、三角の底辺［２］［３］を平行に、線［１８］［１９］を引く。
［作図７］
［１８］［１９］を辺とする。正方形を画く。
［作図８］
その正方形に対角線を画き、交点［２２］は変心軸の中心である。
［作図１０］
正方形の下辺［２０］［２１］と三角形の底辺［２］［３］の間半分［２５］を印す。
［作図１１］
四角形の四辺に弧の肉付をし、クロバー型の山部［２５］のところまで削る。
【考案の詳細な説明】
【技術分野】
【０００１】  この実用新案は、三つ葉のクローバー型のシリンダー内で、四角型の回転ピストンを変心クランクと結合してある主軸の右回り回転により、吸い込む、圧縮、吐き出し、を連続でくり返す。油圧回転ポンプである。
【背景技術】
【０００２】  従来の高圧ポンプは、シリンダーが、筒型になっており、ピストンを往復させるに、大きい力が必要とされた。
【実用新案の開示】
【実用新案が解決しようとする課題】
【０００３】  これは次の欠点があった。
従来、ピストンの一往復で一回の吸い込み、圧縮、吐き出し、をくり返される、本実用新案は、以上の欠点をなくすためになされたものである。
【課題を解決するための手段】
【０００４】  三つ葉のクローバー型のシリンダー［３２］内で、四角型の回転ピストン［３１］を変心クランク［２４］と結合してある［２３］主軸の右回りの回転により、吸い込み、圧縮、吐き出し、を連続でくり返す、油圧回転ポンプである。
本実用新案は、以上の構成によりなる油圧回転ポンプである。
【実用新案の効果】
【０００５】  主軸点と変心軸点のクランクが短く、小さい力で主軸を回す事ができ、四角のピストンが、それぞれ三室のシリンダーに働きかけ、吸い込み、圧縮、吐き出し、が連続でくり返される油圧回転ポンプである。
【実用新案を実施するための最良の形態】
【０００６】  以下、本実用新案を実施するための形態について説明する。
三葉のクローバー型のシリンダー［３２］内で四角型の回転ピストン［３１］を変心クランク［２４］と結合してある［２３］主軸の右回りの回転により、吸い込み、圧縮、吐き出し、を連続でくり返す、油圧回転ポンプである。本実用新案は、以上のような構造である。
変心クランクを１回転では、吸い込み、圧縮、吐き出し、を３回くり返し、四角型のピストンを１回転では１２回連続でくり返される。
【図面の簡単な説明】
【０００７】
【図１】本実用新案の軸受をはずした正面図である。
【図２】本実用新案の軸受をはずした背面図である。
【図３】本実用新案の平面図である。
【図４】本実用新案の正面図である。
【符号の説明】
【０００８】２３  主軸
２４  変心クランク軸
２６  肉付けしたピストン線
２７  吸い込み孔
２８  吐き出し孔
２９  密着装置
３０  密着装置
３１  回転ピストン
３２  シリンダー
３３  吸い込み口
３４  吐き出し口
３５  吸い込み導き溝
３６  ネジ栓
３７  吐き出し導き溝
３８  主軸側軸受けふた
３９  反対側軸受けふた
４０  パッキン紐（ひも）入れネジ
【図１】
0003161250.tif 000003
【図２】
0003161250.tif 000004
【図３】
0003161250.tif 000005
【図４】
0003161250.tif 000006
0003161250.tif 000007
0003161250.tif 000008
0003161250.tif 000009
0003161250.tif 000010
0003161250.tif 000011
0003161250.tif 000012
0003161250.tif 000013
0003161250.tif 000014
0003161250.tif 000015
0003161250.tif 000016
0003161250.tif 000017
【手続補正書】
【提出日】平成22年4月22日(2010.4.22)
【手続補正１】
【補正対象書類名】実用新案登録請求の範囲
【補正対象項目名】全文
【補正方法】変更
【補正の内容】
【実用新案登録請求の範囲】
【請求項１】
三つ葉のクローバー型のシリンダー（３２）内で、四角型の回転ピストン（３１）を、変心クランク（２４）と結合してある主軸（２３）の右回りの回転により、吸い込み、圧縮、吐き出し、を連続でくり返すを特徴とする油圧回転ポンプ。
【手続補正２】
【補正対象書類名】明細書
【補正対象項目名】全文
【補正方法】変更
【補正の内容】
【考案の詳細な説明】
【技術分野】
【０００１】  この実用新案登録は、三つ葉のクローバー型のシリンダー内で、四角型の回転ピストンを変心クランクと結合してある主軸の右回り回転により、吸い込み、圧縮、吐き出し、を連続でくり返すを特徴とする油圧回転ポンプ。
【背景技術】
【０００２】  従来の高圧ポンプは、シリンダーが、筒型になっており、ピストンを往復させるに、大きい力が必要とされた。
【実用新案登録の開示】
【実用新案登録が解決しようとする課題】
【０００３】  これは次の欠点があった。
従来、ピストンの一往復で一回の吸い込み、圧縮、吐き出し、をくり返される、本実用新案は、以上の欠点をなくすためになされたものである。
【課題を解決するための手段】
【０００４】  三つ葉のクローバー型のシリンダー（３２）内で、四角型の回転ピストン（３１）を変心クランク（２４）と結合してある主軸（２３）の右回りの回転により、吸い込み、圧縮、吐き出し、を連続でくり返すを特徴とする。油圧回転ポンプ。
本実用新案登録は、以上の構成によりなる油圧回転ポンプである。
【実用新案登録の効果】
【０００５】  主軸点と変心軸点のクランクが短く、小さい力で主軸を回す事ができ、四角のピストンが、それぞれ三室のシリンダーに働きかけ、吸い込み、圧縮、吐き出し、が連続でくり返すを特徴とする油圧回転ポンプである。
【実用新案登録を実施するための最良の形態】
【０００６】  以下、本実用新案登録を実施するための形態について説明する。
三葉のクローバー型のシリンダー（３２）内で四角型の回転ピストン（３１）を変心クランク（２４）と結合してある  主軸（２３）の右回りの回転により、吸い込み、圧縮、吐き出し、を連続でくり返すを連続でくり返すを特徴とする。油圧回転ポンプ。本実用新案登録は、以上のような構造である。
変心クランクを１回転では、吸い込み、圧縮、吐き出し、を３回くり返し、四角型のピストンを１回転では１２回連続でくり返される。
【図面の簡単な説明】
【０００７】
【図１】本実用新案登録の軸受をはずした正面図である。
【図２】本実用新案登録の軸受をはずした背面図である。
【図３】本実用新案登録の平面図である。
【図４】本実用新案登録の正面図である。
【符号の説明】
【０００８】  ２３  主軸
２４  変心クランク軸
２６  肉付けしたピストン線
２７  吸い込み孔
２８  吐き出し孔
２９  密着装置
３０  密着装置
３１  回転ピストン
３２  シリンダー
３３  吸い込み口
３４  吐き出し口
３５  吸い込み導き溝
３６  ネジ栓
３７  吐き出し導き溝
３８  主軸側軸受けふた
３９  反対側軸受けふた
４０  パッキン紐（ひも）入れネジ
【手続補正３】
【補正対象書類名】図面
【補正対象項目名】全図
【補正方法】変更
【補正の内容】
【図１】
0003161250.tif 000018
【図２】
0003161250.tif 000019
【図３】
0003161250.tif 000020
【図４】
0003161250.tif 000021
【図５】
0003161250.tif 000022
【図６】
0003161250.tif 000023
【図７】
0003161250.tif 000024
【図８】
0003161250.tif 000025
【図９】
0003161250.tif 000026
【図１０】
0003161250.tif 000027
【図１１】
0003161250.tif 000028
【図１２】
0003161250.tif 000029
【図１３】
0003161250.tif 000030
【図１４】
0003161250.tif 000031
【図１５】
0003161250.tif 000032
【手続補正書】
【提出日】平成22年6月4日(2010.6.4)
【手続補正１】
【補正対象書類名】明細書
【補正対象項目名】０００７
【補正方法】変更
【補正の内容】
【０００７】
【図１】本実用新案登録の軸受をはずした正面図である。
【図２】本実用新案登録の軸受をはずした背面図である。
【図３】本実用新案登録の平面図である。
【図４】本実用新案登録の正面図である。
【図５】正三角形（１）（２）（３）を画く。図である。
【図６】垂線（４）（５）（６）を画き中心点（７）を求める。図である。
【図７】頂点（１）から（７）間を５等分する。図である。
【図８】（７）（８）の間隔で（１２）（１３）を求む。図である。
【図９】（８）（１０）の半径で弧（１４）（１５）（１６）を画く。図である。
【図１０】（８）（９）の半分（１７）求め直線（１８）（１９）を引く。図である。
【図１１】（１８）（１９）を辺とする正方形を画く。図である。
【図１２】正方形に対角線を画き、交点（２２）は変心軸の中心でる。図である。
【図１３】正方形の下辺（２０）（２１）と三角形の底辺（２）（３）の間、半分（２５）を印す。［図１３］、［図１４］同じ図である。
【図１４】正方形の下辺（２０）（２１）と三角形の底辺（２）（３）の間、半分（２５）を印す。［図１３］、［図１４］同じ図である。
【図１５】四角形の四辺に弧の肉付けし、クロバー型の山部（２５）のところまで削る。図である。